(57)【要約】【課題】枠が固定される連結部を備える部分の見付寸法を抑えることが可能な連窓構造を提供すること。【解決手段】連結部１０の側面に沿って移動可能に連結部１０に支持され、枠体２４に係合する第１係合部材１と、枠体２４に係合する第２係合部材７と、を備え、第１係合部材１及び第２係合部材７を介して枠体２４を連結部１０に固定する連窓構造である。枠体２４には、枠体２４を連結部１０に対してビスで固定するための孔が形成されていない。【選択図】図８
2020084488.tif 000002
【特許請求の範囲】
【請求項１】
建物の開口部に設けられる一方の窓部及び前記一方の窓部に隣接する他方の窓部の間に配置され、前記一方の窓部側の枠体と、前記他方の窓部側の枠体とを連結する連結部を有する連窓構造であって、
前記連結部の屋内側には、前記一方の窓部側の枠体と、前記他方の窓部側の枠体と、を被覆する接続部材が設けられ、
前記連結部の側面に沿って移動可能に前記連結部に支持された第１係合部材と、
第２係合部材と、を備え、
前記第１係合部材及び前記第２係合部材を介して前記枠体を前記連結部に固定する連窓構造。
【請求項２】
前記第1係合部材は、前記連結部の屋内側面に対向する延出部を有し、
前記延出部は、前記接続部材と、前記連結部との間に配置される請求項１に記載の連窓構造。
【請求項３】
前記連結部の屋内側には耐火ボードが配置される請求項１または請求項２に記載の連窓構造。
【請求項４】
前記枠体は、前記第１係合部材と、前記第２係合部材と、の間に挟持されることで固定される請求項１〜請求項３のいずれかに記載の連窓構造。
【請求項５】
前記連結部の屋外側にはカバーが配置され、
前記カバーと前記枠体の屋外側面との間に気密材が配置され、
前記接続部材は前記枠体の屋内側側面に当接し、前記接続部材を前記連結部に固定するビスを締めることで前記枠体を前記気密材に押圧可能である請求項１〜請求項４のいずれかに記載の連窓構造。
【請求項６】
前記枠体の屋外側においては、前記第１係合部材が前記枠体を前記連結部から離間する方向へ移動することを規制し、前記枠体の屋内側においては、前記第２係合部材が前記枠体を前記連結部から離間する方向へ移動することを規制する請求項１〜請求項５のいずれかに記載の連窓構造。
【請求項７】
前記枠体には、前記枠体を前記連結部に対してビスで固定するための孔が形成されておらず、前記第１係合部材は、前記第２係合部材よりも屋外側で前記枠体と係合して固定される請求項１に記載の連窓構造。
【請求項８】
前記第１係合部材は、屋内外方向に移動することにより前記枠体に係合し、
前記第２係合部材は、前記連結部に固定されている請求項１又は請求項７に記載の連窓構造。
【請求項９】
前記連結部の屋外側にはカバーが配置され、
前記カバーと前記枠体の屋外側面との間に気密材が配置され、
前記第１係合部材を屋外側へ押すことにより、前記枠体を前記気密材に向けて押圧可能である請求項１、請求項７〜請求項８のいずれかに記載の連窓構造。
【請求項１０】
前記第１係合部材の少なくとも一部と、前記連結部との間には隙間が形成されている請求項７〜請求項９のいずれかに記載の連窓構造。
【請求項１１】
前記第１係合部材は、前記枠体との係合部が屋外側へ向かって広がるＶ字形状部により構成され、
前記Ｖ字形状部を構成する部分の２つの端部のうちの左右方向において前記連結部から離れている端部は、左右方向において前記連結部に近い端部よりも屋外側へ向かって突出している請求項１、請求項７〜請求項１０のいずれかに記載の連窓構造。
【請求項１２】
前記第１係合部材、及び、前記第２係合部材は、前記枠体との係合部が前記枠体に被覆されている請求項１、請求項７〜請求項１１のいずれかに記載の連窓構造。
【発明の詳細な説明】
【技術分野】
【０００１】
本発明は、連窓構造に関する。
【背景技術】
【０００２】
従来、建物の開口部において、隣接する二つの窓部の間に、方立のような連結部が配置された連窓構造が知られている。連窓構造では、窓部のそれぞれの枠体と、連結部とが、連結部に固定された板状の固定部材を介して連結されている。防火性を高めるため、この固定部材と枠体とを、互いに係合可能な係合部により接続することで、高熱に曝された場合の変形に耐えうる構成とされている（例えば、特許文献１参照）。
【０００３】
枠体と連結部とを確実に連結することで、火炎が貫通することは抑制できるが、連結部自体は高熱に曝される。連結部自体の耐火性能を向上させるために、連結部の屋内側に耐火ボードが配置される。
【先行技術文献】
【特許文献】
【０００４】
【特許文献１】特許第５７５７０１１号公報
【発明の概要】
【発明が解決しようとする課題】
【０００５】
上述の従来の連窓構造では、窓部のそれぞれの枠体と、連結部とが、板状の固定部材を介して連結されていたが、板状の固定部材は、溶接又はビス止めにより、連結部に固定されていた。このため、左右方向において、板状の固定部材を取付けるためのスペース（隙間）が必要であり、このため、枠が固定される連結部の部分の見付寸法が大きくなる。
【０００６】
本発明は、枠が固定される連結部を備える部分の見付寸法を抑えることが可能な連窓構造を提供することを目的とする。
【課題を解決するための手段】
【０００７】
本発明は、建物の開口部に設けられる一方の窓部（例えば、後述の窓部２０）及び前記一方の窓部に隣接する他方の窓部の間に配置され、前記一方の窓部側の枠体（例えば、後述の内側縦枠２４）と、前記他方の窓部側の枠体とを連結する連結部（例えば、後述の連結部１０）を有する連窓構造であって、前記連結部の屋内側には、前記一方の窓部側の枠体と、前記他方の窓部側の枠体と、を被覆する接続部材（例えば、後述の６１）が設けられ、前記連結部の側面に沿って移動可能に前記連結部に支持された第１係合部材（例えば、後述のアンカー１）と、第２係合部材（例えば、後述の屋内側アンカー７）と、を備え、前記第１係合部材及び前記第２係合部材を介して前記枠体を前記連結部に固定する連窓構造に関する。
【０００８】
また、前記第１係合部材は、前記連結部の屋内側面（例えば、後述の屋内側見付面１０３）に対向する延出部（例えば、後述の延出部１３２Ａ）を有し、前記延出部は、前記接続部材と、前記連結部との間に配置されることが好ましい。また、前記連結部の屋内側には耐火ボードが配置されることが好ましい。また、前記枠体は、前記第１係合部材と、前記第２係合部材と、の間に挟持されることで固定されることが好ましい。
【０００９】
また、前記連結部の屋外側にはカバーが配置され、前記カバーと前記枠体の屋外側面（例えば、後述の屋外側見付面２４０１）との間に気密材が配置され、前記接続部材は前記枠体の屋内側側面に当接し、前記接続部材を前記連結部に固定するビス（例えば、後述の皿ネジ６１５）を締めることで前記枠体を前記気密材に押圧可能であることが好ましい。
【００１０】
また、前記枠体の屋外側においては、前記第１係合部材が前記枠体を前記連結部から離間する方向へ移動することを規制し、前記枠体の屋内側においては、前記第２係合部材が前記枠体を前記連結部から離間する方向へ移動することを規制することが好ましい。
【００１１】
また、前記枠体には、前記枠体を前記連結部に対してビスで固定するための孔が形成されておらず、前記第１係合部材は、前記第２係合部材よりも屋外側で前記枠体と係合して固定されることが好ましい。
【００１２】
また、前記第１係合部材は、屋内外方向に移動することにより前記枠体に係合し、前記第２係合部材は、前記連結部に固定されていることが好ましい。
【００１３】
また、前記連結部の屋外側にはカバー（例えば、後述の外側カバー３）が配置され、前記カバーと前記枠体の屋外側面との間に気密材が配置され、前記第１係合部材を屋外側へ押すことにより、前記枠体を前記気密材（例えば、後述の気密材３５）に向けて押圧可能であることが好ましい。
【００１４】
また、前記第１係合部材の少なくとも一部（例えば、後述の係合片部１２２）と、前記連結部との間には隙間（例えば、後述の隙間Ｓ３）が形成されていることが好ましい。
【００１５】
また、前記第１係合部材は、前記枠体との係合部が屋外側へ向かって広がるＶ字形状部により構成され、前記Ｖ字形状部を構成する部分の２つの端部のうちの左右方向において前記連結部から離れている端部（例えば、後述の係合外方辺部１２３）は、左右方向において前記連結部に近い端部（例えば、後述の係合片部１２２）よりも屋外側へ向かって突出していることが好ましい。
【００１６】
また、前記第１係合部材、及び、前記第２係合部材は、前記枠体との結合部が前記枠体に被覆されていることが好ましい。
【発明の効果】
【００１７】
本発明によれば、枠が固定される連結部を備える部分の見付寸法を抑えることが可能な連窓構造を提供することができる。
【図面の簡単な説明】
【００１８】
【図１】第１実施形態の連窓を屋内側から見た正面図である。
【図２】第１実施形態の連窓の連結部近傍における、内側縦枠及び内側カバーの図示を省略した縦断面図である。
【図３】第１実施形態の連窓の連結部近傍における横断面図である。
【図４】第１実施形態のアンカーを示す正面図である。
【図５】第１実施形態のアンカーを示す側面図である。
【図６】第１実施形態の屋内側アンカーを示す正面図である。
【図７】第１実施形態の屋内側アンカーを示す側面図である。
【図８】第１実施形態の連窓の連結部近傍において内側縦枠をアンカー及び屋内側アンカーに係合させる様子を示す横断面図である。
【図９】第１実施形態の受け金具を示し（ａ）図は斜視図、（ｂ）図は正面図、（ｃ）図は側面図を示す。
【図１０】第２実施形態の連窓の連結部近傍における、内側縦枠及び内側カバーの図示を省略した縦断面図である。
【図１１】第２実施形態の連窓の連結部近傍における横断面図である。
【図１２】第２実施形態のアンカーを示す正面図である。
【図１３】第２実施形態のアンカーを示す側面図である。
【図１４】第２実施形態の下側アンカーを示す正面図である。
【図１５】第２実施形態の下側アンカーを示す側面図である。
【図１６Ａ】第２実施形態の連窓の連結部に内側縦枠を固定する前の様子を示す断面図である。
【図１６Ｂ】第２実施形態の連窓の連結部に内側縦枠を固定する位置へ内側縦枠を移動させた様子を示す断面図である。
【図１６Ｃ】第２実施形態の連窓の連結部への内側縦枠の固定に際して下側アンカーを移動させて、内側縦枠を連結部に対して固定させた様子を示す断面図である。
【図１７】第３実施形態の連窓の連結部近傍における横断面図である。
【図１８】第３実施形態の下側アンカーを示す正面図である。
【図１９】第３実施形態の下側アンカーを示す側面図である。
【図２０Ａ】第３実施形態の連窓の連結部に内側縦枠を固定する前の様子を示す断面図である。
【図２０Ｂ】第３実施形態の連窓の連結部に内側縦枠を左右方向において接近させた様子を示す断面図である。
【図２０Ｃ】第３実施形態の連窓の気密材に内側縦枠を当接させた様子を示す断面図である。
【図２０Ｄ】第３実施形態の連窓の連結部への内側縦枠の固定に際して下側アンカーを移動させて、内側縦枠を連結部に対して固定させた様子を示す断面図である。
【発明を実施するための形態】
【００１９】
以下、本発明の第１実施形態について図面を参照して詳細に説明する。
図１は、連窓１００を屋内側から見た正面図である。図２は、連窓１００の連結部１０近傍における、内側縦枠２４及び内側カバー６の図示を省略した縦断面図である。連窓構造は、連窓１００及び連窓１００が配置される建物の躯体内部の構造体により構成される。
なお、本明細書において、見付方向とは、正面から見たときに前方に見える面の方向である上下左右方向を言い、見込方向とは、連窓１００の屋内外方向、すなわち奥行方向を言う。また、見付面とは、連窓１００を正面から見たときに前方に見える面を言い、見込面とは、連窓１００を正面から見たときに奥行方向に見える面を言う。
【００２０】
連窓１００は、耐火設備が設けられた防火窓である。連窓１００は、左右方向に互いに隣接して配置される２つの窓部２０と、２つの窓部２０の間の連結部１０と、窓部２０及び連結部１０を接続して固定する固定部材である第１係合部材としてのアンカー１（図２等参照）、及び、第２係合部材としての屋内側アンカー７と、を有する。
【００２１】
窓部２０は、それぞれが枠体２及びガラス２５を有する。
枠体２は、上枠２１、下枠２２、外側縦枠２３及び内側縦枠２４が枠組みして形成される。枠体２は、内周側に向かって解放された略コの字型の枠材により構成される。上枠２１、下枠２２、外側縦枠２３及び内側縦枠２４のそれぞれは、屋内側及び屋外側の見付面及びこれらの見付面を接続する見込面を有する。
上枠２１及び下枠２２は、枠体２の上下でそれぞれが左右方向に延びるように配置される。
外側縦枠２３及び内側縦枠２４は、左右方向の外側で上枠２１及び下枠２２を接続するように延びる。外側縦枠２３は、連窓１００の左右方向の外側に位置する。内側縦枠２４は、隣接する相手側の窓部２０に近い左右方向の内側に位置する。内側縦枠２４は、後述のようにアンカー１を介して連結部１０に固定されるため、内側縦枠２４には、内側縦枠２４を連結部１０に対してビスで固定するための孔は形成されていない。
ガラス２５は、枠体２の内周側に形成されるガラス保持溝に保持される。
【００２２】
図２に示すように、建物の開口部において、窓部２０（図１参照）及び連結部１０の下側にはモルタル部１０１が配置され、上側には耐熱繊維の耐火材が充填されている（図示せず）。
連窓１００は、後述する通り、屋外側に、カバー部材としての外側カバー３と、気密材３５（図３参照）とを有する。また、屋内側に、耐火ボード４と、耐火ボード支持体４１と、受け金具５と、を有する。
図３は、連窓１００の連結部近傍における横断面図である。
【００２３】
図３に示すように、内側縦枠２４は、枠体側係合部２４０を有する。
枠体側係合部２４０は、内側縦枠２４の左右方向の端部から左右方向内側に延出して屋内側に屈曲する。枠体側係合部２４０は、断面視略Ｌ字状で、後述するアンカー１が係合する部分である。枠体側係合部２４０は、内側縦枠２４の左右方向の端部から左右方向外側、すなわち隣接する相手側の窓部２０の方へ延出する縦枠見付延出部２４１と、縦枠見付延出部２４１の左右方向外側の端部から内側縦枠２４の見込方向の中央部側へ向かって延出する縦枠見込延出部２４２とを有する。枠体側係合部２４０は、内側縦枠２４の屋外側の左右方向の端部及び屋内側の左右方向の端部の両方に形成される。
【００２４】
連結部１０は、図３に示すように、内部が中空で断面視長方形の金属製の角材である。連結部１０は、一方の窓部２０（図１参照）及び他方の窓部２０の間に配置される。より詳細には、連結部１０は、内側縦枠２４同士の間に配置され、一方の内側縦枠２４と他方の内側縦枠２４とを連結する。また、連結部１０は、連窓１００の上下方向に延びるように配置される。連結部１０は、図２に示すように、取付金具１５にビスにより締結されて、この取付金具１５を建物の躯体に溶接することで建物の開口部に固定される。
【００２５】
図４はアンカー１を示す正面図である。図５は、アンカー１を示す側面図である。アンカー１は、連結部１０と内側縦枠２４との間に介在して取り付けられ、これらを固定する部材である。アンカー１は、板状部１１と、固定部材側係合部１２と、固定部１３と、を有する。
【００２６】
板状部１１は、略長方形の平坦な板体であり、連結部１０に取り付けられた状態で、連結部１０の見込面に沿って延びるように配置される。板状部１１における幅方向（図４における上下方向）における中央位置には、見込方向に一致する板状部１１の長手方向に延びる長孔１１１が、板状部１１の長手方向における中央を挟んで２つ形成されている。長孔１１１には、連結部１０に固定されたネジが貫通している。ネジが長孔１１１の長手方向において相対的に板状部１１に対して長孔１１１内を移動することにより、アンカー１は、連結部１０に対して相対的に見込方向へ移動する。
【００２７】
固定部材側係合部１２は、板状部１１の長手方向の端部の一方、即ち、板状部１１の長手方向の屋外側の端部に形成される。固定部材側係合部１２は、立ち上がり部１２１と、係合片部１２２と、係合外方辺部１２３と、を有する。
立ち上がり部１２１は、連結部１０に取り付けられた状態で、板状部１１の見込方向における端部から、左右方向外側に立ち上がって枠体側係合部２４０側へ向かう。
係合片部１２２は、立ち上がり部１２１の先端から板状部１１の長手方向に、連結部１０に取り付けられた状態で、板状部１１の見込方向における端部から見込方向外側へ延びる。
係合外方辺部１２３は、係合片部１２２の途中から左右方向外側に立ち上がって見込方向外側へ延びると共に、更に左右方向外側に向かう。従って、係合片部１２２の延出端部と係合外方辺部１２３とは、屋外側へ向かって広がるＶ字形状部により構成されており、このため、係合片部１２２の延出端部と係合外方辺部１２３との間には、これらにより形成されるＶ字形状の溝が形成されている。係合外方辺部１２３の屋外側の端部は、係合片部１２２の屋外側の端部よりも、屋外側へ向かって長く突出している。
図３に示すように、固定部材側係合部１２は、屋外側に位置している内側縦枠２４の枠体側係合部２４０−１における縦枠見込延出部２４２−１の外面、すなわち連結部１０に近い内側縦枠２４の面の側に係合片部１２２の延出端部（図３における係合片部１２２の上端部）が位置し、内側縦枠２４の枠体側係合部２４０−１における縦枠見込延出部２４２の内面、すなわち内側縦枠２４の見込面側（連結部１０から離間した面の側）に係合外方辺部１２３が位置するように枠体側係合部２４０−１に係合する。
【００２８】
図３に示すように、見込方向における、外側カバー３のカバー部材固定部３３の端部と、固定部材側係合部１２の立ち上がり部１２１との間には、隙間Ｓ１が形成されている。これにより、アンカー１の固定部材側係合部１２が、内側縦枠２４の縦枠見付延出部２４１−１及び縦枠見込延出部２４２−１を介して、気密材３５を外側カバー３に対して押し付ける前に、カバー部材固定部３３の端部と立ち上がり部１２１とが当接することを防ぐことが可能となる。このため、アンカー１の固定部材側係合部１２が、内側縦枠２４を介して気密材３５を外側カバー３に対して確実に押し付けることが可能となる。
【００２９】
また、図３に示すように、見込方向における、固定部材側係合部１２の係合外方辺部１２３の端部と、内側縦枠２４の縦枠見付延出部２４１−１との間には、隙間Ｓ２が形成されている。これにより、縦枠見込延出部２４２−１が固定部材側係合部１２に係合する前に、係合外方辺部１２３の端部と縦枠見付延出部２４１−１とが当接することを防ぐことが可能となり、縦枠見込延出部２４２−１と固定部材側係合部１２との係合を確実とすることが可能となる。
【００３０】
また、図３に示すように、左右方向における、外側カバー３のカバー部材固定部３３、及び、連結部１０の見込面と、固定部材側係合部１２の係合片部１２２との間には、隙間Ｓ３が形成されている。これにより、固定部材側係合部１２が連結部１０及びカバー部材固定部３３から左右方向に離間し、後述のように、内側縦枠２４の縦枠見込延出部２４２−１を固定部材側係合部１２に係合させる際に、当該係合を容易となる。
【００３１】
固定部１３は、固定部材側係合部１２を有する板状部１１の長手方向における一端部に対する板状部１１の他端部から、板状部１１の長手方向に直交するように延びる板状の部分であり、板状部１１の他端部が折れ曲げられた形状を有している。固定部１３は、図３に示すように、後述のように内側縦枠２４が連結部１０に沿って屋外側へ移動させられて、アンカー１に係合して連結部１０に対して固定されたときに、連結部１０の屋内側の端面である屋内側見付面に当接して、それ以上アンカー１が屋外側へ移動しないように、連結部１０に対してアンカー１を移動不能とする。このため、アンカー１が屋外側へ向かって移動可能な範囲は、気密材３５よりも屋内側の位置までであり、アンカー１と気密材３５とは当接しないように構成されている。また、固定部１３を屋内側へ引くことにより、内側縦枠２４をアンカー１に固定する前の屋内側の位置に、アンカー１を容易に引き出すことが可能である。
【００３２】
図６は、屋内側アンカー７を示す正面図である。図７は、屋内側アンカー７を示す側面図である。
屋内側アンカー７は、図２に示すように、アンカー１とは別部材（別部品）で構成され、アンカー１の下側の連結部１０の部分に固定されている。図３に示すように、屋内側アンカー７の固定部材屋内側係合部７２は、アンカー１の固定部材側係合部１２と共に内側縦枠２４に被覆されている。従って、アンカー１の固定部材側係合部１２及び屋内側アンカー７の固定部材屋内側係合部７２は、内側縦枠２４の外側へ露出していない。
また、枠体２の内側縦枠２４の枠体側係合部２４０−１、枠体側係合部２４０−２と、これらに係合する固定部材側係合部１２、固定部材屋内側係合部７２は、連結部１０の屋内側面と屋外側面の間にある。このため、見込方向において、枠体２の内側縦枠２４の枠体側係合部２４０−１、枠体側係合部２４０−２と、これらに係合する固定部材側係合部１２、固定部材屋内側係合部７２は、連結部１０の屋内側面よりも屋内側へ、及び、連結部１０の屋外側面よりも屋外側へ突出していない。
屋内側アンカー７は、板状部７１と、固定部材屋内側係合部７２と、を有する。
【００３３】
板状部７１は、略長方形の平坦な板体であり、連結部１０に取り付けられた状態で、板状部７１の長手方向が、連結部１０の見込面に沿って上下に延びるように配置される。
【００３４】
固定部材屋内側係合部７２は、板状部７１の幅方向の端部の一方及び他方、即ち、板状部７１の幅方向の屋外側の端部と屋内側の端部とにそれぞれ形成される。板状部７１の幅方向（見込方向）の中央部には、ネジが貫通可能な貫通孔７１１が形成されており、ネジが貫通孔７１１を貫通することにより、板状部７１は、連結部１０に固定される。
【００３５】
固定部材屋内側係合部７２は、立ち上がり部７２１と、係合内方片部７２２と、係合外方辺部７２３と、を有する。
立ち上がり部７２１は、連結部１０に取り付けられた状態で、板状部７１の見込方向における端部から、左右方向外側に立ち上がって、屋内側の枠体側係合部２４０−２側へ向かう。
係合内方片部７２２は、立ち上がり部７２１の先端から折れ曲がり、板状部７１に略平行に、見込方向へ、板状部７１の中央から離れる方向へ延びる。係合外方辺部７２３は、立ち上がり部７２１の途中から分岐して、板状部７１に略平行に、見込方向へ、板状部７１の中央から離れる方向へ延びる。従って、係合内方片部７２２の延出端部と係合外方辺部７２３との間の空間は、屋外側へ向かって広がるＶ字形状部により構成されている。係合外方辺部７２３の先端部は、屋内側アンカー７が固定される連結部１０の方向へ折れ曲がる形状に形成されている。
図７に示すように、屋内側の固定部材屋内側係合部７２（図７右側の固定部材屋内側係合部７２）の立ち上がり部７２１の延びる長さは、屋外側の固定部材屋内側係合部７２（図７左側の固定部材屋内側係合部７２）の立ち上がり部７２１の延びる長さよりも長く構成されている。これにより多数の連窓の場合に、ネジを緩めて屋内側アンカー７を点対称の位置関係に回転させてネジで固定して、立ち上がり部７２１の延びる長さの長い屋内側アンカー７を使用したり、立ち上がり部７２１の延びる長さの短い屋内側アンカー７を使用したりして、適宜、見付寸法を選択することが可能である。
【００３６】
図３に示すように、固定部材屋内側係合部７２は、内側縦枠２４の枠体側係合部２４０−２における縦枠見込延出部２４２−２の外面、すなわち連結部１０に近い内側縦枠２４の面の側に係合外方辺部７２３が位置し、内側縦枠２４の枠体側係合部２４０−２における縦枠見込延出部２４２−２の内面、すなわち内側縦枠２４の見込面側（連結部１０から離間した面の側）に係合内方片部７２２が位置するように枠体側係合部２４０−２に係合する。
【００３７】
図３に戻って、外側カバー３は、連結部１０の屋外側見付面に取り付けられ、連結部１０の屋外側見付面や、アンカー１の固定部材側係合部１２により内側縦枠２４が固定される部分を被覆する。外側カバー３は、平面部３０、カバー部材固定部３３、及び、気密材固定部３４と、を有する。
平面部３０は、連結部１０の左右方向に沿って延びる平面状の板面である。平面部３０は、また、連結部１０の上下方向にも沿って延び、連結部１０の屋外側を覆う。平面部３０は、中央側延出部３１及び端部側延出部３２を有する。
中央側延出部３１は、横断面視で、平面部３０のうち左右方向中央部側で連結部１０の見付面に沿って延びる部分である。
端部側延出部３２は、中央側延出部３１から連続して左右方向外側に延出し、中央側延出部３１の左右方向の両端側から内側縦枠２４側へ向かって延出する部分である。端部側延出部３２は、内側縦枠２４の左右方向の端部を被覆するように配置され、アンカー１の固定部材側係合部１２と内側縦枠２４の枠体側係合部２４０−１との係合部分も覆っている。
【００３８】
気密材固定部３４は、端部側延出部３２の左右方向外側の端部を構成しており、屋内側へ開口するＣの字形状に形成されている。Ｃの字形状の内部に、気密材３５の一部が詰められることにより気密材３５は気密材固定部３４に固定され、気密材の他の部分は、Ｃの字形状の開口から気密材固定部３４に延びて、折り返されて重ねられている。
【００３９】
カバー部材固定部３３は、平面部３０における端部側延出部３２の屋内側面から突出し、連結部１０の見込面に沿って延出する面である。カバー部材固定部３３は、貫通孔を有し、貫通孔にネジ３０１が貫通することにより、連結部１０の見込面に、左右方向外側からネジ３０１によって締結される。
【００４０】
気密材３５は、湿式シールにより構成されており、気密材固定部３４の屋内側面と、内側縦枠２４の屋外側の見付面との間をシールして塞ぐことで、固定部材側係合部１２の近傍に水等が進入することが防止される。また、気密材３５よりも左右方向の連結部１０寄りには、耐火材（図示せず）が充填される。
【００４１】
耐火ボード４は、図２及び図３に示すように、連結部１０の屋内側の見付面側に配置される。耐火ボード４は、連結部１０の屋内側の見付面よりも左右方向の幅が広く、隣接する窓部２０の内側縦枠２４同士の間隔よりも狭い程度の左右方向の幅を有する。耐火ボード４は、屋内側から見込方向に貫通するネジ４０１により連結部１０に固定されており、建物の躯体には固定されていない。耐火ボード４の上側と、躯体との間には、ロックウール等の不燃の耐火材が充填される。
【００４２】
耐火ボード支持体４１は、連結部１０の屋内側で、耐火ボード４の屋外側に配置され、耐火ボード４が火災時に倒れることを防止する。耐火ボード支持体４１は、耐火ボード４よりも長手方向の長さが長く、下端は枠体２よりも下で建物のモルタル部１０１に埋設され、上端は躯体上部に取り付けられている。
【００４３】
図９（ａ）は、受け金具５の斜視図であり、図９（ｂ）は受け金具５の正面図、図９（ｃ）は、受け金具の側面図である。
図２に示すように、受け金具５は耐火ボード４の下端側に設けられる。受け金具５は、図９（ａ）〜図９（ｃ）に示すように、受け面部５１と、壁部５２と、接続部５３と、を有する。
【００４４】
受け面部５１は、平面視略四角形の平面状の板面である。受け面部５１は、取り付けられた状態で、耐火ボード４の下面に当接し、耐火ボード４の下面を支持する。受け面部５１は、耐火ボード４の見込方向及び左右方向の寸法と対応する寸法を有する。
【００４５】
壁部５２は、受け面部５１から離間する方向（例えば、図９（ａ）における上方）に向かって起立する面であり、見付側壁部５２１と、見込側壁部５２２と、を有する。
見付側壁部５２１は、受け面部５１の屋内側見付面に沿って延びる端縁５１ａから起立する面である。見付側壁部５２１は、受け面部５１の左右方向の寸法よりも小さく、受け面部５１の屋内側の左右方向に延びる端縁５１ａの略中央部寄りに形成され、両端側には隙間が形成されている。見付側壁部５２１は、耐火ボード４の屋内側面の下端を位置決めする。
見込側壁部５２２は、受け面部５１の見込面に沿って延びる端縁５１ｂから起立する面であり、受け面部５１の左右方向の一方と他方からそれぞれ起立している。見込側壁部５２２は、受け面部５１の見込方向に沿う端縁５１ｂの屋内側寄りに位置しており、屋外側は空いている。
【００４６】
接続部５３は、受け面部５１の屋外側の端部において左右方向に沿って延びる端縁５１ｃから、壁部５２の起立する方向の反対側（例えば、図９（ａ）における下方）に向かって延出する面であり、貫通孔５３１が形成されている。
図２に示すように、受け金具５の接続部５３は、受け面部５１に耐火ボード４が載った状態で、下方へ延び、耐火ボード支持体４１（図３参照）にネジにより締結して連結される。
【００４７】
なお、連結部１０の屋内側には、図３に示すように、内側縦枠２４の屋内側の見付面の端部から、耐火ボード４の周囲を覆うように断面視略コの字状の内側カバー６が取り付けられる。
内側カバー６の内部では、連結部１０の屋内側の見付面に、連結部１０の左右方向の幅よりも広い幅の接続部材６１が、取付け鋼材６２を介して接続されている。接続部材６１は、ビス止めにより、一方の窓部側の内側縦枠２４（図１１の左側の内側縦枠２４）及び他方の窓部側の内側縦枠２４（図１１の右側の内側縦枠２４）の、それぞれの屋内側の見付面に当接して固定されて当該見付面を被覆すると共に、ネジ４０１により耐火ボード４と共に連結部１０に固定される中央板状部６１１と、中央板状部６１１の左右方向における端部に設けられ屋内側へ延び、左右方向外側へ突出する凸部を有するカバー係止部６１２とを有している。カバー係止部６１２は、内側カバー６の屋外側端部の内面に設けられ内側カバー６の内方へ突出するカバー被係止部６０１に係止することにより、内側カバー６は内側縦枠２４に固定される。
【００４８】
次に、連窓１００の組み立てにおける連結部１０への内側縦枠２４の固定について説明する。図８は、連窓１００の連結部近傍において内側縦枠２４をアンカー１及び屋内側アンカー７に係合させる様子を示す横断面図である。
内側縦枠２４を連結部１０に固定する際には、先ず、図８において左側に示すアンカー１のように、アンカー１を連結部１０に対して、最も見込方向における屋内側へ移動させる。次に、内側縦枠２４を左右方向に沿って連結部１０に接近させてゆき、図８の左側に示す内側縦枠２４のように、内側縦枠２４の縦枠見込延出部２４２−１を、固定部材側係合部１２の係合片部１２２と係合外方辺部１２３とにより形成される、屋外側へ向かって開口するＶ字形状の開口に係合させる。
【００４９】
次に、アンカー１の固定部１３を屋外側へ押すことにより、アンカー１は、屋外側へ移動する。このとき、固定部材側係合部１２には、内側縦枠２４の縦枠見込延出部２４２が係合しているため、アンカー１の、屋外側へ移動に伴い、内側縦枠２４も屋外側へ移動する。
【００５０】
そして、アンカー１が更に移動することにより、内側縦枠２４の屋外側見付面２４０１が気密材３５に当接し気密材３５を押圧する。これと同時に、屋内側の内側縦枠２４の縦枠見込延出部２４２−２が、固定部材屋内側係合部７２の係合内方片部７２２と係合外方辺部７２３とにより形成される、屋内側へ向かって開口するＶ字形状の開口に係合する。これにより、屋外側における内側縦枠２４の部分は、固定部材側係合部１２に、内側縦枠２４の縦枠見込延出部２４２−１が係合しており、屋内側における内側縦枠２４の部分は、固定部材屋内側係合部７２の係合内方片部７２２と係合外方辺部７２３とにより形成される、屋内側へ向かって開口するＶ字形状の開口に係合するため、アンカー１を介して、連結部１０に内側縦枠２４が連結される。そして接続部材６１及び取付け鋼材６２を介して内側縦枠２４の屋内側の見付面の部分が連結部１０に固定されて、内側縦枠２４は連結部１０から外れないように固定される。
【００５１】
本実施形態によれば、以下の効果が奏される。
本実施形態では、見込方向に沿った連結部１０の側面（見込面）に沿って見込方向に移動可能に連結部１０に支持され、見込方向に移動することにより内側縦枠２４に係合する第１係合部材としてのアンカー１と、アンカー１とは別部材で構成され、連結部１０に対して移動不能に固定され、枠体２の内側縦枠２４に係合する第２係合部材としての屋内側アンカー７と、を備える。アンカー１及び屋内側アンカー７が内側縦枠２４に係合することにより、内側縦枠２４が連結部１０に固定される。
【００５２】
このため、内側縦枠２４を連結部１０に固定するためにビス止めしなくて済むため、防火設備の構成であっても、内側縦枠２４を連結部１０に固定している部分の見付寸法を小さく抑えることが可能となる。このように見付寸法が小さくなった分だけ、内側縦枠２４に配置されるガラス２５の面積を広くすることが可能となる。ガラス２５の断熱性能は高いため、ガラス２５の面積が広くなることにより、連窓における断熱性能が向上する。
【００５３】
また、本実施形態においては、内側縦枠２４には、内側縦枠２４を連結部１０に対してビスで固定するための孔が形成されていない。このため、内側縦枠２４における水密性を高めることが可能となる。
また、見込方向における内側縦枠２４の屋外側の部分がアンカー１に係合し、見込方向における内側縦枠２４の屋内側の部分が屋内側アンカー７に係合して、内側縦枠２４がアンカー１及び屋内側アンカー７を介して連結部１０に固定される。このため、アンカー１を見込方向に移動可能な構成とすることができ、気密材等に内側縦枠２４を押し付けることが可能となる。
【００５４】
また、本実施形態においては、連結部１０の屋外側の見付面側には外側カバー３が配置され、見込方向における屋内側のアンカー１の端部が屋外側へ押されることにより、アンカー１は、見込方向における内側縦枠２４の屋外側の部分を介して気密材３５を外側カバー３に押し付ける。このため、外側カバー３と内側縦枠２４との間の水密性を高めることが可能となる。
【００５５】
また、本実施形態においては、左右方向において、固定部材側係合部１２の係合片部１２２と、連結部１０との間には隙間Ｓ３が形成されている。このため、固定部材側係合部１２が連結部１０及びカバー部材固定部３３から左右方向に離間する。この結果、内側縦枠２４の縦枠見込延出部２４２−１を固定部材側係合部１２に係合させる際に、係合を容易とすることができる。
【００５６】
また、本実施形態においては、見込方向における内側縦枠２４の屋外側の縦枠見込延出部２４２−１が係合する、アンカー１の固定部材側係合部１２は、屋外側へ向かって広がるＶ字形状部により構成されている。Ｖ字形状部を構成する部分である係合片部１２２の延出端部と係合外方辺部１２３とのうちの、左右方向において連結部１０から離れている係合外方辺部１２３の端部は、左右方向において連結部１０に近い係合片部１２２の延出端部よりも屋外側へ向かって長く突出している。このため、内側縦枠２４を連結部１０に固定する際に、係合片部１２２の延出端部と係合外方辺部１２３とにより形成されるＶ字形状の溝に、内側縦枠２４の縦枠見込延出部２４２−１を容易に導き係合させることが可能となる。
【００５７】
また、本実施形態においては、アンカー１及び屋内側アンカー７は、内側縦枠２４の外側へ露出しておらず内側縦枠２４の内側に収容されている。このため、防火設備の構成とすることが可能となる。
【００５８】
次に、本発明の第２実施形態について図１０〜図１６Ｃを参照しながら説明する。図１０は、連窓１００Ａの連結部１０近傍における、内側縦枠２４及び内側カバー６の図示を省略した縦断面図である。図１１は、連窓１００Ａの連結部１０近傍における横断面図である。図１２は、アンカー１Ａを示す正面図である。図１３は、アンカー１Ａを示す側面図である。図１４は、下側アンカー７Ａを示す正面図である。図１５は、下側アンカー７Ａを示す側面図である。
本発明の第２実施形態に係る連窓構造においては、アンカー１Ａの構成が、第１実施形態におけるアンカー１の構成とは異なる。また、第１実施形態における屋内側アンカー７に代えて、下側アンカー７Ａが設けられている点で第１実施形態とは異なる。これ以外の各部の構成については、第１実施形態による連窓構造と同様である。第１実施形態における各構成と同様の構成については、同様の符号を付して説明を省略する。
【００５９】
図１２等に示すように、アンカー１Ａは、板状部１１Ａと、固定部材側係合部１２Ａと、固定部１３Ａと、を有する。
【００６０】
板状部１１Ａは、略長方形の板体であり、連結部１０に取り付けられた状態で、連結部１０の見込面に沿って延びるように配置される。板状部１１Ａにおける幅方向（図１２における上下方向）における中央位置には、見込方向に一致する板状部１１Ａの長手方向に延びる長孔１１１Ａが、板状部１１Ａの長手方向における中央を挟んで２つ形成されている。長孔１１１Ａには、連結部１０に固定されたネジが貫通する。
【００６１】
長孔１１１Ａが形成されている板状部１１Ａの部分は、それぞれ段部１１２Ａ、１１３Ａを有している。段部１１２Ａ、１１３Ａは、長孔１１１Ａの長手方向における中央位置の板状部１１Ａの部分に形成されており、この段部１１２Ａ、１１３Ａを堺として、板状部１１Ａの屋内側の部分は、板状部１１Ａの屋外側の部分に対して、連結部１０に近い位置関係となるように構成されている。このため、段部１１２Ａ、１１３Ａを堺とした板状部１１Ａの屋内側の部分と連結部１０との間には、図１１に示すように、隙間が形成されている。段部１１２Ａの屋内寄りの部分には、連結部１０から離間するように突出する突起１１５Ａが設けられている。従って、ネジが長孔１１１Ａの長手方向において相対的に板状部１１Ａに対して長孔１１１Ａ内を移動することにより、アンカー１Ａは、連結部１０に対して相対的に見込方向へ移動する。このとき、ネジが段部１１２Ａによる段差の突起１１５Ａに当接し、突起１１５Ａよりも屋内側の板状部１１Ａの部分が、板状部１１Ａと連結部１０との間に形成された隙間を縮めるようにして撓み、ネジが突起１１５Ａを乗り越えることによりアンカー１Ａが移動することになるため、突起１１５Ａよりも屋内側に位置しているネジが、長孔１１１Ａ内で相対的に移動することを防止し、意図せずアンカー１Ａが屋外側へ移動して、アンカー１Ａ及び下側アンカー７Ａと、内側縦枠２４と、の係合が解除されることを抑えることが可能である。
【００６２】
固定部材側係合部１２Ａは、板状部１１Ａの長手方向の端部の一方、即ち、板状部１１Ａの長手方向の屋外側の端部に形成される。固定部材側係合部１２Ａは、立ち上がり部１２１Ａと、係合片部１２２Ａと、係合外方辺部１２３Ａと、を有する。
立ち上がり部１２１Ａは、連結部１０に取り付けられた状態で、板状部１１Ａの見込方向における端部から、左右方向外側に立ち上がって枠体側係合部２４０側へ向かう。
係合片部１２２Ａは、立ち上がり部１２１Ａの先端から板状部１１Ａの長手方向に、連結部１０に取り付けられた状態で屋外側へ延びる。
係合外方辺部１２３Ａは、係合片部１２２Ａの屋外側の端部から、連結部１０から離れるように傾斜して延びる折れ曲がった部分により構成されている。
【００６３】
固定部１３Ａは、固定部材側係合部１２Ａを有する板状部１１Ａの長手方向における一端部に対する板状部１１Ａの他端部から、板状部１１Ａの長手方向に直交するように延びる板状の部分であり、板状部１１Ａの他端部が、連結部１０から離れるように折り曲げられた離間傾斜部１３１Ａと、更に他端寄りの部分が連結部１０に近づくように折り曲げられた形状の延出部１３２Ａと、を有している。固定部１３Ａの延出部１３２Ａは、図３に示すように、後述のように内側縦枠２４が連結部１０に沿って屋外側へ移動させられて、アンカー１Ａ及び下側アンカー７Ａに係合して連結部１０に対して固定されたときに、接続部材６１と、連結部１０との間に配置されて、連結部１０の屋内側の端面である屋内側見付面１０３と対向して配置され、延出部１３２Ａと屋内側見付面１０３とは、当接し合うか又は離間している。これにより、図１１に示すように、一対のアンカー１Ａの延出部１３２Ａの間には、連結部１０の屋内側の部分で隠された隙間が形成されているが、この隙間に皿ネジ（皿ビス）６１５の頭部が配置されて、皿ネジ６１５は接続部材６１を連結部１０に固定する。このように、皿ネジ６１５が締められて接続部材６１が連結部１０に固定されることにより、接続部材６１は内側縦枠２４を屋外側へ押して、内側縦枠２４の縦枠見付延出部２４１−１の屋外側面は、気密材３５を押圧する。
【００６４】
下側アンカー７Ａは、図１０に示すように、アンカー１Ａとは別部材（別部品）で構成され、アンカー１Ａの下側の連結部１０の部分に固定されている。図１１に示すように、下側アンカー７Ａの固定部材屋内側係合部７２Ａ及び固定部７３Ａは、アンカー１Ａの固定部材側係合部１２Ａと共に内側縦枠２４に被覆されている。従って、アンカー１Ａの固定部材側係合部１２Ａ及び下側アンカー７Ａの固定部材屋内側係合部７２Ａ及び固定部７３Ａは、内側縦枠２４の外側へ露出していない。
また、枠体２の内側縦枠２４の枠体側係合部２４０−１、枠体側係合部２４０−２と、これらに係合する固定部材側係合部１２Ａ、固定部材屋内側係合部７２Ａは、連結部１０の屋内側面と屋外側面との間にある。このため、見込方向において、枠体２の内側縦枠２４の枠体側係合部２４０−１、枠体側係合部２４０−２と、これらに係合する固定部材側係合部１２Ａ、固定部材屋内側係合部７２Ａは、連結部１０の屋内側面よりも屋内側へ、及び、連結部１０の屋外側面よりも屋外側へ突出していない。
【００６５】
下側アンカー７Ａは、板状部７１Ａと、固定部材屋内側係合部７２Ａと、を有する。板状部７１Ａは、略長方形の平坦な板体であり、連結部１０に取り付けられた状態で、板状部７１の長手方向が、連結部１０の見込面に沿って延びるように配置される。
【００６６】
固定部材屋内側係合部７２Ａは、板状部７１Ａの長手方向の端部の一方、即ち、板状部７１Ａの長手方向の屋外側の端部に形成される。板状部７１Ａの幅方向（見込方向）の中央部には、ネジが貫通可能な貫通孔７１１Ａが形成されており、ネジが貫通孔７１１Ａを貫通することにより、板状部７１Ａは、連結部１０に固定される。
【００６７】
固定部材屋内側係合部７２Ａは、立ち上がり部７２１Ａと、係合内方片部７２２Ａと、を有する。
立ち上がり部７２１Ａは、連結部１０に取り付けられた状態で、板状部７１Ａの見込方向における屋外側の端部から、左右方向外側に立ち上がって、屋内側の枠体側係合部２４０−２側へ向かう。
係合内方片部７２２Ａは、立ち上がり部７２１Ａの先端から折れ曲がり、板状部７１Ａに略平行に、見込方向へ、板状部７１Ａの中央から離れる方向へ延びる。
【００６８】
固定部７３Ａは、板状部７１Ａの長手方向の端部の他方、即ち、板状部７１Ａの長手方向の屋内側の端部に形成される。固定部７３Ａは、立ち上がり部７３１Ａと、係合片部７３２Ａと、係合外方辺部７３３Ａと、を有する。
立ち上がり部７３１Ａは、連結部１０に取り付けられた状態で、板状部７１Ａの見込方向における屋内側の端部から、左右方向外側に立ち上がって枠体側係合部２４０側へ向かう。
係合片部７３２Ａは、立ち上がり部７３１Ａの先端から板状部７１Ａの長手方向に、連結部１０に取り付けられた状態で、板状部７１Ａの見込方向における端部から見込方向屋内側へ延びる。
係合外方辺部７３３Ａは、係合片部７３２Ａの屋内側の端部から、連結部１０から離れるように傾斜して延びる折れ曲がった部分により構成されている。
【００６９】
前述のように下側アンカー７Ａは、図１０に示すように、アンカー１Ａの下側の連結部１０の部分に固定されており、このような上下関係で配置されているが、鉛直方向においては、図１１等に示すように、固定部材側係合部１２Ａの立ち上がり部１２１Ａ、係合片部１２２Ａ、及び係合外方辺部１２３Ａと、固定部材屋内側係合部７２Ａの係合内方片部７２２Ａとは、屋外側へ向かって広がるＶ字形状部を構成しており、これらによりＶ字形状の溝が形成されている。
【００７０】
図１１に示すように、屋外側に位置している内側縦枠２４の枠体側係合部２４０−１における縦枠見込延出部２４２−１の外面、すなわち連結部１０に近い内側縦枠２４の面の側に、Ｖ字形状部を構成する固定部材屋内側係合部７２Ａの係合内方片部７２２Ａが位置し、内側縦枠２４の枠体側係合部２４０−１における縦枠見込延出部２４２の内面、すなわち内側縦枠２４の見込面側（連結部１０から離間した面の側）に、Ｖ字形状部を構成する固定部材側係合部１２Ａの係合片部１２２Ａが位置して、縦枠見込延出部２４２−１は係合片部１２２Ａと係合内方片部７２２Ａとに挟まれて、Ｖ字形状部を構成する固定部材側係合部１２Ａ及び固定部材屋内側係合部７２Ａは、枠体側係合部２４０−１に係合し固定されている。縦枠見込延出部２４２−１が挿入される係合片部１２２Ａと係合内方片部７２２Ａとの間の隙間の幅は、縦枠見込延出部２４２−１が挿入されていないときには、縦枠見込延出部２４２−１の板厚よりも狭い。
【００７１】
同様に、鉛直方向においては、図１１等に示すように、離間傾斜部１３１Ａと、立ち上がり部７３１Ａ、係合片部７３２Ａ、及び係合外方辺部７３３Ａとは、屋内側へ向かって広がる略Ｖ字形状部を構成しており、これらにより略Ｖ字形状の溝が形成されている。
【００７２】
図１１に示すように、屋内側に位置している内側縦枠２４の枠体側係合部２４０−２における縦枠見込延出部２４２−２の外面、すなわち連結部１０に近い内側縦枠２４の面の側に、略Ｖ字形状部を構成する固定部１３Ａの離間傾斜部１３１Ａが位置し、内側縦枠２４の枠体側係合部２４０−２における縦枠見込延出部２４２の内面、すなわち内側縦枠２４の見込面側（連結部１０から離間した面の側）に、Ｖ字形状部を構成する固定部７３Ａの係合片部７３２Ａが位置して、縦枠見込延出部２４２−２は離間傾斜部１３１Ａと係合片部７３２Ａとに挟まれて、Ｖ字形状部を構成する固定部１３Ａ及び固定部７３Ａは、枠体側係合部２４０−２に係合し固定されている。
即ち、屋外側に位置している内側縦枠２４の縦枠見込延出部２４２−１に対しては、アンカー１Ａの係合片部１２２Ａが、縦枠見込延出部２４２−１の、連結部１０から離間した側の面に当接して、内側縦枠２４が連結部１０から離間する方向へ移動することを規制している。これに対して、屋内側に位置している内側縦枠２４の縦枠見込延出部２４２−２に対しては、下側アンカー７Ａの係合片部７３２Ａの係合片部７３２Ａが、縦枠見込延出部２４２−２の、連結部１０から離間した側の面に当接して、内側縦枠２４が連結部１０から離間する方向へ移動することを規制している。
縦枠見込延出部２４２−２が挿入される離間傾斜部１３１Ａと係合片部７３２Ａとの間の隙間の幅は、縦枠見込延出部２４２−２が挿入されていないときには、縦枠見込延出部２４２−２の板厚よりも狭い。
【００７３】
次に、連窓１００Ａの組み立てにおける連結部１０への内側縦枠２４の固定について説明する。図１６Ａは、連窓１００Ａの連結部１０に内側縦枠２４を固定する前の様子を示す断面図である。図１６Ｂは、連窓１００Ａの連結部１０に内側縦枠２４を固定する位置へ内側縦枠２４を移動させた様子を示す断面図である。図１６Ｃは、連窓１００Ａの連結部１０への内側縦枠２４の固定に際して下側アンカー７Ａを移動させて、内側縦枠２４を連結部１０に対して固定させた様子を示す断面図である。
【００７４】
内側縦枠２４を連結部１０に固定する際には、先ず、図１６Ａに示すアンカー１Ａのように、アンカー１Ａを連結部１０に対して、最も見込方向における屋内側へ移動させる。次に、内側縦枠２４を左右方向に沿って連結部１０に接近させてゆき、内側縦枠２４の縦枠見込延出部２４２−１を係合内方片部７２２Ａに当接させる。そして、このように当接した状態を維持したまま、内側縦枠２４を屋外側へ移動させてゆき、図１６Ｂに示すように、縦枠見付延出部２４１−１を気密材３５に当接させる。
【００７５】
これにより、屋内側の内側縦枠２４の縦枠見込延出部２４２−２が、係合片部７３２Ａに当接して、内側縦枠２４が、気密材３５に当接する縦枠見付延出部２４１−１の部分を回転の中心として回動する（図１６Ｂにおける内側縦枠２４の下端部が図の右方向へ回動する）ことが防止され回動止めがなされる。これにより、気密材３５に内側縦枠２４を確実に当接させることが可能となる。
【００７６】
次に、図１６Ｃに示すように、アンカー１Ａの固定部１３Ａを屋外側へ押すことにより、アンカー１Ａは、屋外側へ移動する。
【００７７】
そして、更にアンカー１Ａが移動することにより、係合片部１２２Ａが縦枠見込延出部２４２−１に当接した状態となり、縦枠見込延出部２４２−１は、左右方向において、係合片部１２２Ａと係合内方片部７２２Ａとにより挟まれた状態となる。このとき、前述のように、縦枠見込延出部２４２−１が挿入される係合片部１２２Ａと係合内方片部７２２Ａとの間の隙間の幅は、縦枠見込延出部２４２−１が挿入されていないときには、縦枠見込延出部２４２−１の板厚よりも狭いため、縦枠見込延出部２４２−１は、係合内方片部７２２Ａの存在により係合片部１２２Ａを、左右方向において係合内方片部７２２Ａから離間する方向へ押圧し、係合片部１２２Ａは撓んでいる。また、縦枠見込延出部２４２−２が離間傾斜部１３１Ａに当接した状態となり、縦枠見込延出部２４２−２は、左右方向において、離間傾斜部１３１Ａと係合片部７３２Ａとにより挟まれた状態となる。このとき、前述のように、縦枠見込延出部２４２−２が挿入される離間傾斜部１３１Ａと係合片部７３２Ａとの間の隙間の幅は、縦枠見込延出部２４２−２が挿入されていないときには、縦枠見込延出部２４２−２の板厚よりも狭いため、縦枠見込延出部２４２−２は、離間傾斜部１３１Ａの存在により係合片部７３２Ａを、左右方向において離間傾斜部１３１Ａから離間する方向へ押圧し、係合片部７３２Ａは撓んでいる。これにより、アンカー１Ａ及び下側アンカー７Ａを介して、連結部１０に内側縦枠２４が連結され固定される。
【００７８】
本実施形態においては、内側縦枠２４は、第１係合部材としてのアンカー１Ａと第２係合部材としての下側アンカー７Ａとにより挟まれた状態とされることにより、連結部１０に固定される。このため、アンカー１Ａと下側アンカー７Ａとで内側縦枠２４に係合するため、係合を容易且つ強固とすることが可能となる。
【００７９】
次に、本発明の第３実施形態について図１７〜図２０Ｄを参照しながら説明する。図１７は、連窓の連結部１０Ｂ近傍における横断面図である。図１８は、下側アンカー７Ｂを示す正面図である。図１９は、下側アンカー７Ｂを示す側面図である。
本発明の第３実施形態に係る連窓構造においては、下側アンカー７Ｂの構成が、第２実施形態における下側アンカー７Ａの構成とは異なる。また、内側縦枠２４Ｂの構成が、第２実施形態における内側縦枠２４の構成とは異なる。また、外側カバー３Ｂ、連結部１０Ｂの構成についても、第２実施形態における外側カバー３、連結部１０の構成とは異なる。これ以外の各部の構成については、第２実施形態による連窓構造と同様である。第２実施形態における各構成と同様の構成については、同様の符号を付して説明を省略する。
【００８０】
図１７等に示すように、連結部１０Ｂは、第２実施形態における連結部１０Ｂよりも、見込方向における長さが短く構成されている。また、外側カバー３Ｂは、左右方向における中央の部分に、屋内側へ延びる中央延出部３０２Ｂを有している。中央延出部３０２Ｂは、屋内側へ延びて形成されており、その延出端は、見付方向に延び、さらにその左右端部は、それぞれ連結部１０Ｂに沿って屋内側へ延びる。
【００８１】
内側縦枠２４Ｂは、縦枠見付延出部２４１−１から縦枠見付延出部２４１−１を延長するように延びる延出部延長部２４３Ｂと、延出部延長部２４３Ｂの延出端部から折れ曲がり屋内側へ延びる屋内側延出部２４４Ｂと、屋内側延出部２４４Ｂの延出端部から折れ曲がり、延出部延長部２４３Ｂに平行に延びる延長端部２４５Ｂとを有している。このような内側縦枠２４Ｂの構成とすることで、内側縦枠２４Ｂを強固な構成とすることが可能となる。
【００８２】
下側アンカー７Ｂは、アンカー１Ａとは別部材（別部品）で構成され、アンカー１Ａの下側の連結部１０の部分に固定されている。下側アンカー７Ｂの固定部材屋内側係合部７２Ｂ及び固定部７３Ｂは、アンカー１Ａの固定部材側係合部１２Ａと共に内側縦枠２４に被覆されている。従って、アンカー１Ａの固定部材側係合部１２Ａ及び下側アンカー７Ｂの固定部材屋内側係合部７２Ｂ及び固定部７３Ｂは、内側縦枠２４の外側へ露出していない。
【００８３】
下側アンカー７Ｂは、板状部７１Ａと、固定部材屋内側係合部７２Ｂと、固定部７３Ｂと、を有する。固定部材屋内側係合部７２Ｂは、板状部７１Ａの幅方向の端部の一方、即ち、板状部７１Ａの長手方向の屋外側の端部に形成される。
【００８４】
固定部材屋内側係合部７２Ｂは、立ち上がり部７２１Ｂと、係合外方片部７２２Ｂと、係合外方辺部７２３Ｂと、先端傾斜部７２４Ｂと、を有する。
立ち上がり部７２１Ｂは、連結部１０Ｂに取り付けられた状態で、板状部７１Ａの見込方向における屋外側の端部から、左右方向内側に立ち上がって延びている。係合外方片部７２２Ｂは、立ち上がり部７２１Ｂの先端から折れ曲がり、板状部７１Ａに略平行に、見込方向へ、板状部７１Ａの中央から離れる方向へ延びる。係合外方辺部７２３Ｂは、係合外方片部７２２Ｂの先端から折れ曲がり、左右方向外側に延びる。先端傾斜部７２４Ｂは、屋外側へ傾斜して延びている。
【００８５】
固定部７３Ｂは、板状部７１Ａの長手方向の端部の他方、即ち、板状部７１Ａの長手方向の屋内側の端部に形成される。固定部７３Ｂは、立ち上がり部７３１Ａと、係合片部７３２Ａと、を有する。
【００８６】
前述のように下側アンカー７Ｂは、アンカー１Ａの下側の連結部１０Ｂの部分に固定されており、このような上下関係で配置されているが、鉛直方向視では、図１７等に示すように、固定部材側係合部１２Ａの立ち上がり部１２１Ａ、係合片部１２２Ａ、及び係合外方辺部１２３Ａと、固定部材屋内側係合部７２Ｂの立ち上がり部７２１Ｂ、係合外方片部７２２Ｂ、係合外方辺部７２３Ｂ、及び先端傾斜部７２４Ｂとは、屋外側へ向かって開口する略Ｃ字形状部を構成しており、これらによりＣ字形状の溝が形成されている。
【００８７】
図１７に示すように、屋外側に位置している内側縦枠２４Ｂの枠体側係合部２４０Ｂ−１における縦枠見込延出部２４２−１の内面、すなわち連結部１０Ｂから遠い縦枠見込延出部２４２−１の面の側に、略Ｃ字形状部を構成する固定部材側係合部１２Ａの係合片部１２２Ａが位置し、また、内側縦枠２４Ｂの延長端部２４５Ｂの先端部に、係合外方片部７２２Ｂが位置して、縦枠見込延出部２４２−１は係合片部１２２Ａと係合外方片部７２２Ｂとに挟まれて、略Ｃ字形状部を構成する固定部材側係合部１２Ａ及び固定部材屋内側係合部７２Ｂは、枠体側係合部２４０Ｂ−１に係合し固定されている。
【００８８】
同様に、鉛直方向においては、図１７等に示すように、離間傾斜部１３１Ａと、立ち上がり部７３１Ａ、及び係合片部７３２Ａとは、屋内側へ向かって広がる略Ｖ字形状部を構成しており、これらにより略Ｖ字形状の溝が形成されている。
【００８９】
図１７に示すように、屋内側に位置している内側縦枠２４Ｂの枠体側係合部２４０−２における縦枠見込延出部２４２−２の外面、すなわち連結部１０Ｂに近い内側縦枠２４Ｂの面の側に、略Ｖ字形状部を構成する固定部１３Ａの離間傾斜部１３１Ａが位置し、内側縦枠２４Ｂの枠体側係合部２４０−２における縦枠見込延出部２４２の内面、すなわち内側縦枠２４Ｂの見込面側（連結部１０から離間した面の側）に、Ｖ字形状部を構成する固定部７３Ａの係合片部７３２Ａが位置して、縦枠見込延出部２４２−２は離間傾斜部１３１Ａと係合片部７３２Ａとに挟まれて、Ｖ字形状部を構成する固定部１３Ａ及び固定部７３Ｂは、枠体側係合部２４０−２に係合し固定されている。
【００９０】
次に、連窓１００Ｂの組み立てにおける連結部１０Ｂへの内側縦枠２４Ｂの固定について説明する。図２０Ａは、連窓の連結部１０Ｂに内側縦枠２４Ｂを固定する前の様子を示す断面図である。図２０Ｂは、連窓の連結部１０Ｂに内側縦枠２４Ｂを左右方向において接近させた様子を示す断面図である。図２０Ｃは、連窓の気密材３５に内側縦枠２４Ｂを当接させた様子を示す断面図である。図２０Ｄは、連窓の連結部１０Ｂへの内側縦枠２４Ｂの固定に際してアンカー１Ａを移動させて、内側縦枠を連結部に対して固定させた様子を示す断面図である。
【００９１】
内側縦枠２４Ｂを連結部１０Ｂに固定する際には、先ず、図２０Ａに示すアンカー１Ｂのように、アンカー１Ｂを連結部１０Ｂに対して、最も見込方向における屋内側へ移動させる。次に、内側縦枠２４Ｂを左右方向に沿って連結部１０Ｂに接近させてゆき、図２０Ｂに示すように、内側縦枠２４Ｂの延長端部２４５Ｂを係合外方片部７２２Ｂに当接させる。そして、このように当接した状態を維持したまま、内側縦枠２４Ｂを屋外側へ移動させてゆき、図２０Ｃに示すように、縦枠見付延出部２４１−１を気密材３５に当接させる。
【００９２】
これにより、屋内側の内側縦枠２４Ｂの縦枠見込延出部２４２−２が、係合片部７３２Ａに当接して、内側縦枠２４Ｂが、気密材３５に当接する縦枠見付延出部２４１−１の部分を回転の中心として回動する（図２０Ｃにおける内側縦枠２４Ｂの下端部が図の右方向へ回動する）ことが防止され回動止めがなされる。これにより、気密材３５に内側縦枠２４Ｂを確実に当接させることが可能となる。
【００９３】
次に、図２０Ｄに示すように、アンカー１Ａの固定部１３Ａを屋外側へ押すことにより、アンカー１Ａは、屋外側へ移動する。
【００９４】
そして、更にアンカー１Ａが移動することにより、係合片部１２２Ａが縦枠見込延出部２４２−１に当接した状態となり、縦枠見込延出部２４２−１は、係合片部１２２Ａにより図２０Ｄの右方向への移動が規制される。また、前述のように、内側縦枠２４Ｂの延長端部２４５Ｂが係合外方片部７２２Ｂに当接しているため、延長端部２４５Ｂは、図２０Ｄの左方向への移動が規制される。また、縦枠見込延出部２４２−２は、左右方向において、離間傾斜部１３１Ａと係合片部７３２Ａとにより挟まれた状態となり、且つ、離間傾斜部１３１Ａにより屋外側へ押された状態となっている。これにより、アンカー１Ａを介して、連結部１０Ｂに内側縦枠２４Ｂが連結され固定される。
【００９５】
以上、本発明の好ましい実施形態について説明したが、本発明は、上述の実施形態に制限されるものではなく、適宜変更が可能である。
例えば、上記実施形態では、単窓を例に説明したが、段窓であっても同様のアンカーを用いることができる。また、連結部１０は、上下方向に延びるように配置されているが、左右方向に延びる無目に用いてもよい。
【００９６】
また、上記実施形態では、受け金具５を耐火ボード４の端側にのみ取り付けているが、これに限られない。例えば、受け金具を耐火ボードの上端側及び下端側に取り付けてもよい。
【００９７】
また、連窓構造の各部の構成は、上記実施形態における連窓構造の各部の構成に限定されない。例えば、第１係合部材及び第２係合部材が前の形状は、本実施形態におけるアンカー１、屋内側アンカー７の形状に限定されない。また、外側カバー３と連結部１０とは別部材（別部品）で構成されていたが、これに限定されず、例えばこれらを別部材（別部品）とせずに一体で構成してもよい。
また、本実施形態においては、第１係合部材としてのアンカー１が見込方向に移動して枠体２の内側縦枠２４に係合するように構成されていたが、これに限定されない。例えば、枠体と、第１係合部材及び第２係合部材とが上下方向への相対的な移動で係合するようにしてもよい。この場合、例えば、第１係合部材を上下方向にスライドさせて枠体に係合させるようにしてもよい。
【符号の説明】
【００９８】
１、１Ａ      アンカー（第１係合部材）
２      枠体
３      外側カバー
４      耐火ボード
７      屋内側アンカー（第２係合部材）
７Ａ、７Ｂ      下側アンカー（第２係合部材）
１０    連結部
１２    固定部材側係合部（枠体第１接触部）
１３    固定部
２０    窓部
２４    内側縦枠
３５    気密材
７２    固定部材屋内側係合部（枠体第２接触部）
１００  連窓
１０３  屋内側見付面（屋内側面）
１２２  係合片部
１２３  係合外方辺部
１３２Ａ  延出部
２４０  枠体側係合部
２４２  縦枠見込延出部
２４０１  屋外側見付面（屋外側面）
Ｓ３    隙間
６１５  皿ネジ（ビス）
【図１】
2020084488.tif 000003
【図２】
2020084488.tif 000004
【図３】
2020084488.tif 000005
【図４】
2020084488.tif 000006
【図５】
2020084488.tif 000007
【図６】
2020084488.tif 000008
【図７】
2020084488.tif 000009
【図８】
2020084488.tif 000010
【図９】
2020084488.tif 000011
【図１０】
2020084488.tif 000012
【図１１】
2020084488.tif 000013
【図１２】
2020084488.tif 000014
【図１３】
2020084488.tif 000015
【図１４】
2020084488.tif 000016
【図１５】
2020084488.tif 000017
【図１６Ａ】
2020084488.tif 000018
【図１６Ｂ】
2020084488.tif 000019
【図１６Ｃ】
2020084488.tif 000020
【図１７】
2020084488.tif 000021
【図１８】
2020084488.tif 000022
【図１９】
2020084488.tif 000023
【図２０Ａ】
2020084488.tif 000024
【図２０Ｂ】
2020084488.tif 000025
【図２０Ｃ】
2020084488.tif 000026
【図２０Ｄ】
2020084488.tif 000027